(57)【要約】【課題】急斜面にパイプラインを敷設・埋設するに際して、大規模な用地を必要とせずに、パイプラインの埋設位置に沿った小規模な範囲に限定した施工を可能とするパイプライン敷設・埋設方法を提供する。【解決手段】傾斜地用ショベル２１と索道２２を適切に組み合わせて、（ａ）掘削工程、（ｂ）管運搬・設置工程、（ｃ）管溶接工程、（ｄ）埋め戻し工程の施工手順をとる。【選択図】図１
2010121724.tif 000002
【特許請求の範囲】
【請求項１】
急斜面にパイプラインを敷設・埋設する方法であって、
パイプラインを敷設・埋設する個所を急傾斜地用油圧ショベルによって掘削する掘削工程と、
敷設・埋設する管を索道によって運搬し、運搬した管を前記掘削工程で掘削した敷設・埋設個所に設置する管運搬・設置工程と、
前記管運搬・設置工程で設置した管と管を溶接する管溶接工程と、
埋め戻し材料を索道によって運搬し、運搬した埋め戻し材料を用いて、掘削した敷設・埋設個所を索道と急傾斜地用油圧ショベルによって埋め戻しする埋め戻し工程と
を備えていることを特徴とする急斜面のパイプライン敷設・埋設方法。
【発明の詳細な説明】
【技術分野】
【０００１】
本発明は、急斜面にパイプラインを敷設・埋設するためのパイプライン敷設・埋設方法であり、傾斜地におけるガス、上下水道、石油等の輸送パイプラインの敷設・埋設工事に適用される。特に、このパイプライン敷設・埋設方法は、傾斜地の区間が長い場合でも適用可能なため、山間部のパイプライン敷設・埋設工事に適している。
【背景技術】
【０００２】
従来、急斜面にパイプラインを敷設・埋設するための施工技術については、例えば特許文献１や特許文献２に記載されているように、油圧ショベル（バックホー）による法面整形や掘削等の作業を行う施工方法や施工装置について開示されている。
【特許文献１】特開平０５−１０５１２２号公報
【特許文献２】特開２００２−１６７７６２号公報
【発明の開示】
【発明が解決しようとする課題】
【０００３】
しかし、図２に示すように、油圧ショベル（バックホー）５１を用いて斜面上に埋設溝を掘削するには、平坦な重機足場や、キャリアダンプ５２による掘削土の搬出および資機材の運搬のための通路を斜面上にジグザグ形状に築造しなければならなかった。
【０００４】
このため、作業用地として広い面積を必要とし、用地確保のために大規模な樹木伐採や施工後の切盛り部復旧や緑化復旧の作業を行っていた。
【０００５】
また、斜面上は部分的に崩落しやすい個所が存在するなど均質な地盤条件とは限らないため、通路築造位置の選定が難しく、雨水降水の影響等による通路補修の発生などの問題があった。
【０００６】
本発明は、上記のよう事情に鑑みてなされたものであり、急斜面にパイプラインを敷設・埋設するに際して、大規模な用地を必要とせずに、パイプラインの埋設位置に沿った小規模な範囲に限定した施工を可能とするパイプライン敷設・埋設方法を提供することを目的とするものである。
【課題を解決するための手段】
【０００７】
上記課題を解決するために、本発明は以下の特徴を有する。
【０００８】
［１］急斜面にパイプラインを敷設・埋設する方法であって、
パイプラインを敷設・埋設する個所を急傾斜地用油圧ショベルによって掘削する掘削工程と、
敷設・埋設する管を索道によって運搬し、運搬した管を前記掘削工程で掘削した敷設・埋設個所に設置する管運搬・設置工程と、
前記管運搬・設置工程で設置した管と管を溶接する管溶接工程と、
埋め戻し材料を索道によって運搬し、運搬した埋め戻し材料を用いて、掘削した敷設・埋設個所を索道と急傾斜地用油圧ショベルによって埋め戻しする埋め戻し工程と
を備えていることを特徴とする急斜面のパイプライン敷設・埋設方法。
【発明の効果】
【０００９】
本発明においては、急斜面にパイプラインを敷設・埋設するに際して、大規模な用地を必要とせずに、パイプラインの埋設位置に沿った小規模な範囲に限定した施工が可能になる。
【発明を実施するための最良の形態】
【００１０】
本発明の一実施形態を述べる。
【００１１】
本発明の一実施形態においては、急斜面にパイプラインを敷設・埋設するに際して、図１に示すように、傾斜地用ショベル２１と索道（ケーブルクレーン）２２を適切に組み合わせて、（ａ）掘削工程、（ｂ）管運搬・設置工程、（ｃ）管溶接工程、（ｄ）埋め戻し工程の施工手順をとるようにしている。
【００１２】
まず、（ａ）掘削工程においては、図１（ａ）に示すように、既存の傾斜地用ショベル２１を用いて、パイプラインの敷設・埋設作業に必要な最小限の範囲２０の掘削を行う。
【００１３】
なお、掘削土の運搬については、傾斜地用ショベル２１によって掘削土の運搬を行う場合は、傾斜下部へ撒き出すか、傾斜地用ショベル２１のバケットによって運搬することになるため効率的でないので、索道２２を併用することによって安全で効率的に運搬できる。
【００１４】
また、小規模なパイプライン敷設・埋設工事の場合には、掘削土の運搬は索道２２ではなく、モノレールを用いてもよい。
【００１５】
次に、（ｂ）管運搬・設置工程においては、図１（ｂ）に示すように、斜面下部もしくは斜面上部に設営した資材ヤードより管１１を索道２２によって運搬し、掘削工程で掘削した敷設・埋設個所に管１１を設置する。このように、管１１の運搬・設置を索道２２によって行うことで、管１１を安全で迅速に運搬・設置することができる。
【００１６】
次に、（ｃ）管溶接工程においては、図１（ｃ）に示すように、既に敷設されている管（敷設管）１０と新たに設置した管１１とを溶接する。
【００１７】
その際に、溶接員３１が溶接作業を行うために、平坦な溶接作業床を掘削する必要があるが、傾斜地用ショベル２１を用いることで、必要・充分な寸法の溶接作業床を無駄なく効率的に掘削することができる。
【００１８】
また、溶接用の機材や検査用の機材等を斜面上部もしくは斜面下部に設営された資材ヤードより迅速に運搬することができる。
【００１９】
最後に、（ｄ）埋め戻し工程においては、図１（ｄ）に示すように、索道２２を用いて、埋め戻し材料（良質土）を土砂バケット（又は底開き大型土嚢等）３３によって運搬し、その埋め戻し材料を土砂バケット（又は底開き大型土嚢等）３３から掘削溝３０に投入する。そして、転圧・締め固め作業を行う。
【００２０】
その際、急傾斜地では人力による転圧・締め固めは非効率なため、管１１の保護のため管１１の周囲は人力により転圧・締め固めを行い、その他は傾斜地用ショベル２１による機械転圧・締め固めを行う。これにより、充分な締め固めが行われ、傾斜面の安定性を確保することができる。
【００２１】
このようにして、この実施形態においては、急斜面にパイプラインを敷設・埋設するに際して、傾斜地用ショベル２１と索道（ケーブルクレーン）２２を適切に組み合わせて施工するようにしているので、従来のような大規模な仮設道等の造成工事が不要となり、限定された位置での施工ができるため、事前に地質調査を行うことで、斜面上のより安定した地質条件位置を選定し施工できる。これにより、施工の確実性が向上し、工事中および工事復旧後の斜面安定性に優れている。また、工事のための伐採、開発行為を最小限とすることができる。
【図面の簡単な説明】
【００２２】
【図１】本発明の一実施形態における施工手順を示す図である。
【図２】従来技術を示す図である。
【符号の説明】
【００２３】
１０  敷設管
１１  管
２１  傾斜地用ショベル
２２  索道（ケーブルクレーン）
３０  掘削範囲（掘削溝）
３１  溶接員
３２  溶接作業床
３３  土砂バケット又は底開き大型土嚢等
５１  油圧ショベル（バックホー）
５２  キャリアダンプ
【図１】
2010121724.tif 000003
【図２】
2010121724.tif 000004